(57)【要約】  利用可能なアクセスネットワークを選択する方法及びユーザ装置であって、前記方法は、ユーザ装置が、無線LANアクセスネットワークの状態が予定閾値を持続的に満たして予定時間に達するか及び/又は予定回数に達するとモニタリングするか、又は予定時間内又は予定回数の前記無線LANアクセスネットワークの状態がフィルタリング処理された後予定閾値を満たすとモニタリングする場合、前記無線LANアクセスネットワークが利用可能なアクセスネットワークであると認定することを含む。【選択図】図2
2016518084.tif 000002
【特許請求の範囲】
【請求項１】
ユーザ装置が、無線LANアクセスネットワークの状態が予定閾値を持続的に満たして予定時間に達する及び/又は予定回数に達するとモニタリングする場合、又は予定時間内又は予定回数の前記無線LANアクセスネットワークの状態がフィルタリング処理された後予定閾値を満たすとモニタリングする場合、前記無線LANアクセスネットワークが利用可能なアクセスネットワークであると認定することを含む利用可能なアクセスネットワークを選択する方法。
【請求項２】
前記ユーザ装置が、前記無線LANアクセスネットワークの状態が予定閾値を持続的に満たして予定時間に達する及び/又は予定回数に達するとモニタリングすることは、
前記ユーザ装置が、一種又は複数種の前記無線LANアクセスネットワークの状態がそれぞれ予定閾値を持続的に満たして予定時間に達する及び/又は予定回数に達する、又は複数種の前記無線LANアクセスネットワークの状態が加重処理された後予定閾値を持続的に満たして予定時間に達する及び/又は予定回数に達する、又は複数種の状態のいずれかの一種が予定閾値を持続的に満たして予定時間に達する及び/又は予定回数に達するとモニタリングすることを含む請求項1に記載の方法。
【請求項３】
前記ユーザ装置が、予定時間内又は予定回数の前記無線LANアクセスネットワークの状態がフィルタリング処理された後予定閾値を満たすとモニタリングすることは、
前記ユーザ装置が、前記無線LANアクセスネットワークの状態の予定時間内の複数の時間帯での平均値が加重処理された後予定閾値を満たすとモニタリングすること、
又は前記ユーザ装置が、前記無線LANアクセスネットワークの状態の連続的な予定回数の時間帯での平均値が加重処理された後予定閾値を満たすとモニタリングすること、
又は前記ユーザ装置が、連続的な予定回数の前記無線LANアクセスネットワークの状態が加重処理された後予定閾値を満たすとモニタリングすることを含む請求項1に記載の方法。
【請求項４】
前記ユーザ装置が、予定時間内又は予定回数の前記無線LANアクセスネットワークの状態がフィルタリング処理された後予定閾値を満たすとモニタリングすることは、
前記ユーザ装置が、予定時間内又は予定回数の複数種の前記無線LANアクセスネットワークの状態がフィルタリング処理された後それぞれ予定閾値を満たす、又はフィルタリングされた後更に加重処理された後予定閾値を満たす、又は複数種の状態のいずれかの一種がフィルタリング処理された後予定閾値を満たすとモニタリングすることを含む請求項1に記載の方法。
【請求項５】
前記無線LANアクセスネットワークの状態は、
無線LANアクセスネットワークの信号強度、
無線LANアクセスネットワークの受信信号強度と無線LANアクセスポイントの送信信号強度との比の値、
無線LANアクセスネットワークの信号の信号対干渉雑音比、
無線LANアクセスネットワークのアクセスネットワーク負荷、
無線LANアクセスネットワークが広域ネットワークに接続されたリンクアップリンク負荷、及び
無線LANアクセスネットワークが広域ネットワークに接続されたリンクダウンリンク負荷の一種又は複数種を含む請求項1〜4のいずれか一項に記載の方法。
【請求項６】
前記ユーザ装置はビーコンフレーム又はパイロットフレームを測定する、又は前記無線LAN基地局へビーコン要求又はリンク測定要求を送信した後返信したビーコンレポート又はリンク測定レポートを得ることにより、前記無線LANアクセスネットワークの信号強度を取得し、
前記ユーザ装置はビーコンフレーム又はプローブ応答フレームと把握された前記無線LANアクセスネットワークの信号強度を監視することにより、前記無線LANアクセスネットワークの受信信号強度と無線LANアクセスポイントの送信信号強度との比の値を取得し、
前記ユーザ装置はビーコンフレーム又はパイロットフレームを測定することにより、又は前記無線LAN基地局へリンク測定要求を送信した後返信したリンク測定レポートを得ることにより、又は前記無線LAN基地局へノイズヒストグラム要求を送信した後返信したノイズヒストグラムレポートと把握された前記無線LANアクセスネットワークの信号強度を得ることにより、前記無線LANアクセスネットワークの信号の信号対干渉雑音比を取得し、
前記ユーザ装置は、ビーコンフレーム又はプローブ応答フレームを監視することにより、又は前記無線LAN基地局へチャネル負荷要求を送信した後返信したチャネル負荷レポートを得ることにより、前記無線LANアクセスネットワークのアクセスネットワーク負荷を取得し、
前記ユーザ装置はビーコンフレーム又はプローブ応答フレームを監視することにより、前記無線LANアクセスネットワークが広域ネットワークに接続されたリンクアップリンク負荷と前記無線LANアクセスネットワークが広域ネットワークに接続されたリンクダウンリンク負荷を取得する請求項5に記載の方法。
【請求項７】
前記予定閾値はネットワーク側がブロードキャスト又はページング又は専用シグナリングにより設定し、又は前記ユーザ装置によりプロトコル規定に従って自分で設定される請求項1〜4のいずれか一項に記載の方法。
【請求項８】
前記予定時間はネットワーク側がブロードキャスト又はページング又は専用シグナリングにより設定され、又は前記ユーザ装置によりプロトコル規定に従って自分で設定される請求項1〜4のいずれか一項に記載の方法。
【請求項９】
前記予定回数はネットワーク側がブロードキャスト又はページング又は専用シグナリングにより設定し、又は前記ユーザ装置によりプロトコル規定に従って自分で設定される請求項1〜4のいずれか一項に記載の方法。
【請求項１０】
前記フィルタリング処理のフィルタリング係数はネットワーク側がブロードキャスト又はページング又は専用シグナリングにより設定し、又は前記ユーザ装置によりプロトコル規定に従って自分で設定される請求項1〜4のいずれか一項に記載の方法。
【請求項１１】
前記加重処理の加重係数はネットワーク側がブロードキャスト又はページング又は専用シグナリングにより設定され、又は前記ユーザ装置によりプロトコル規定に従って自分で設定される請求項2〜4のいずれか一項に記載の方法。
【請求項１２】
無線LANアクセスネットワークの状態が予定閾値を持続的に満たして予定時間に達する及び/又は予定回数に達するかどうかを監視する、又は予定時間内又は予定回数の前記無線LANアクセスネットワークの状態がフィルタリング処理された後予定閾値を満たすかどうかを監視するように設定される監視モジュール、
前記監視モジュールが予定条件を満たすとモニタリングする場合に、前記無線LANアクセスネットワークが利用可能なアクセスネットワークであると認定するように設定される判定モジュールを含むユーザ装置。
【請求項１３】
前記監視モジュールは、
一種又は複数種の前記無線LANアクセスネットワークの状態がそれぞれ予定閾値を持続的に満たして予定時間に達する及び/又は予定回数に達するかどうか、又は複数種の前記無線LANアクセスネットワークの状態が加重処理された後予定閾値を持続的に満たして予定時間に達する及び/又は予定回数に達するかどうか、又は複数種の状態のいずれかの一種が予定閾値を持続的に満たして予定時間に達する及び/又は予定回数に達するかどうかを監視する、という方法により前記無線LANアクセスネットワークの状態が予定閾値を持続的に満たして予定時間に達する及び/又は予定回数に達するかどうかを監視する請求項12に記載のユーザ装置。
【請求項１４】
前記監視モジュールは、
前記無線LANアクセスネットワークの状態の予定時間内の複数の時間帯での平均値が加重処理された後予定閾値を満たすかどうかを監視する、又は前記無線LANアクセスネットワークの状態の連続的な予定回数の時間帯での平均値が加重処理された後予定閾値を満たすかどうかを監視する、又は連続的な予定回数の前記無線LANアクセスネットワークの状態が加重処理された後予定閾値を満たすかどうかを監視する、という方法により予定時間内又は予定回数の前記無線LANアクセスネットワークの状態がフィルタリング処理された後予定閾値を満たすかどうかをモニタリングする請求項12に記載のユーザ装置。
【請求項１５】
前記監視モジュールは、
予定時間内又は予定回数の複数種の前記無線LANアクセスネットワークの状態がフィルタリング処理された後それぞれ予定閾値を満たすかどうか、又はフィルタリングされた後更に加重処理された後予定閾値を満たすかどうか、又は複数種の状態のいずれかの一種がフィルタリング処理された後予定閾値を満たすかどうかを監視する、という方法により予定時間内又は予定回数の前記無線LANアクセスネットワークの状態がフィルタリング処理された後予定閾値を満たすことを監視する請求項12に記載のユーザ装置。
【請求項１６】
前記監視モジュールがモニタリングした無線LANアクセスネットワークの状態は、
無線LANアクセスネットワークの信号強度、
無線LANアクセスネットワークの受信信号強度と無線LANアクセスポイントの送信信号強度との比の値、
無線LANアクセスネットワークの信号の信号対干渉雑音比、
無線LANアクセスネットワークのアクセスネットワーク負荷、
無線LANアクセスネットワークが広域ネットワークに接続されたリンクアップリンク負荷、及び
無線LANアクセスネットワークが広域ネットワークに接続されたリンクダウンリンク負荷の一種又は複数種を含む請求項12〜15のいずれか一項に記載のユーザ装置。
【請求項１７】
前記監視モジュールは、
ビーコンフレーム又はパイロットフレームを測定する、又は前記無線LAN基地局へビーコン要求又はリンク測定要求を送信した後返信したビーコンレポート又はリンク測定レポートを得て、前記無線LANアクセスネットワークの信号強度を取得し、
ビーコンフレーム又はプローブ応答フレームと把握された前記無線LANアクセスネットワークの信号強度を監視し、前記無線LANアクセスネットワークの受信信号強度と無線LANアクセスポイントの送信信号強度との比の値を取得し、
ビーコンフレーム又はパイロットフレームを測定する、又は前記無線LAN基地局へリンク測定要求を送信した後返信したリンク測定レポートを得る、又は前記無線LAN基地局へノイズヒストグラム要求を送信した後返信したノイズヒストグラムレポートと把握された前記無線LANアクセスネットワークの信号強度を得て、前記無線LANアクセスネットワークの信号の信号対干渉雑音比を取得し、
ビーコンフレーム又はプローブ応答フレームを監視する、又は前記無線LAN基地局へチャネル負荷要求を送信した後返信したチャネル負荷レポートを得て、前記無線LANアクセスネットワークのアクセスネットワーク負荷を取得し、及び
ビーコンフレーム又はプローブ応答フレームを監視して、前記無線LANアクセスネットワークが広域ネットワークに接続されたリンクアップリンク負荷と前記無線LANアクセスネットワークが広域ネットワークに接続されたリンクダウンリンク負荷を取得する、という方法の一種又は複数種により、無線LANアクセスネットワークの状態をモニタリングする請求項16に記載のユーザ装置。
【請求項１８】
ネットワーク側がブロードキャスト又はページング又は専用シグナリングにより設定する、又はプロトコル規定に従って自分で設定される前記予定閾値、前記予定時間、前記予定回数、前記フィルタリング処理のフィルタリング係数及び加重処理の加重係数を受け取るように設定される設定モジュールを更に含む請求項12〜15のいずれか一項に記載のユーザ装置。
【発明の詳細な説明】
【技術分野】
【０００１】
本発明は通信分野に関し、特に利用可能なアクセスネットワークを選択する方法及びユーザ装置に関する。
【背景技術】
【０００２】
無線通信技術と標準の持続的な進化に従って、モバイルパケットサービスが大幅に発展している。単一のユーザ装置（User Equipment、UEと略称する）のデータスループットも持続的に向上させる。ロングタームエボリューション（Long Term Evolution、LTEと略称する）システムを例として、20M帯域幅内にダウンリンク最高速度100Mbpsのデータ伝送をサポートすることができ、後続の強化されたLTE（LTE Advanced）システムにおいて、データの伝送速度を向上させ、ひいては1Gbpsに達することができる。
【０００３】
UEデータ取引高の高速な増加により、関連のネットワークリソースがますます不足し、特に新世代の通信技術（例えば、三世代移動通信技術3G、ロングタームエボリューションLTE）が広く普及されない場合には、ユーザ速度とトラフィックに対する要求を満たすことができず、ユーザの体験が悪くなる。この状況をどのように予防及び改善するかはオペレータが考えなければならない問題であり、新たな技術の広がりとネットワークの配布を増速する必要があり、一方、関連のネットワークと技術を強化することにより、ネットワーク性能を急速に向上させる目的を達成すると希望する。公知のように、三世代パートナープログラム（The 3rd Generation Partnership Project、3GPPと略称する）に提供された無線ネットワーク技術以外、現在既に広く応用された無線LAN（Wireless Local Area Network、WLANと略称する）、特にIEEE802.11標準に基づく無線LANは、既に家庭、企業ひいてはインターネットでホットスポットアクセスカバーに広く応用されている。中でも、WIFIアライアンス（Wi-Fi Alliance）から提出された技術規格は応用が最も広くなり、このため、実際にWIFIネットワークは常にIEEE802.11標準に基づくWLANネットワークと等しく、混乱を引き起こさない場合に、後述するWIFIモジュールを採用してネットワークノードにおいてWLANをサポートする無線送受信及び処理モジュールを記述する。
【０００４】
更に、一部のオペレータと会社は、既にWLANと関連の3GPPアクセスネットワークとを組み合わせることを提案し、共同伝送を実現し、WLANネットワークを使用して関連の3GPPアクセスネットワークをオフロード（Offload）するとともにネットワーク性能を向上させる目的を達成する。現在、3GPPは、3GPPアクセスネットワークとWLANインターワーキング（Interworking）の関連プロトコルを既に確立し、図1に示すように、現在、3GPPのInterworking WLANアーキテクチャはWLANネットワークが3GPPアクセスネットワーク内の認証認可アカウンティングサーバ（Authentication Authorization Accounting、AAAと略称する）を使用して統一に認証授権することを許可し、同時に関連の3GPPアクセスネットワークにおけるパケットデータのネットワークゲートウェイを多重化してWLANネットワークのパケットデータゲートウェイとし、同時に2つのネットワークの統一した費用計算等を実現することができ、2つのネットワークの疎結合に達する。
【０００５】
しかし、現在のインターワーキングアーキテクチャにはまだいくつかの欠点が存在し、例えば、現在のインターワーキングはUEに触発され、3GPPネットワーク側が目標アクセスネットワークに対して制御権がなく、コアネットワーク側のネットワーク構成要素のアクセスネットワーク発見サポート機能（Access Network Discovery Support Function、ANDSFと略称する）が一部の戦略的なルールを与えるが、これらの規則が相対的に静的な状態であり、3GPPネットワーク側はUEのアクセスネットワークに対する選択の制御権が失われ、これによりUEが選択したアクセスネットワークはUEのQoS（Quality of Service、サービス品質）要求を満たすことができないか、又はUEは3GPPアクセスネットワークとWLANアクセスネットワークとの間で頻繁に切り替え、ユーザの体験に影響するとともに不要なネットワーク負荷を増加する可能性がある。
【発明の概要】
【発明が解決しようとする課題】
【０００６】
本発明の実施例は、関連の技術において、UEが3GPPアクセスネットワークとWLANアクセスネットワークとの間で頻繁に選択する問題を解決するための利用可能なアクセスネットワークを選択する方法及びユーザ装置を提供する。
【課題を解決するための手段】
【０００７】
本発明の実施例は利用可能なアクセスネットワークを選択する方法を提供し、
ユーザ装置が、無線LANアクセスネットワークの状態が予定閾値を持続的に満たして予定時間に達するか及び/又は予定回数に達するとモニタリングするか、又は予定時間内又は予定回数の前記無線LANアクセスネットワークの状態がフィルタリング処理された後予定閾値を満たすとモニタリングする場合、前記無線LANアクセスネットワークが利用可能なアクセスネットワークであると認定することを含む。
【０００８】
選択的に、上記方法は更に、
前記ユーザ装置が、前記無線LANアクセスネットワークの状態が予定閾値を持続的に満たして予定時間に達するか及び/又は予定回数に達するとモニタリングすることは、
前記ユーザ装置が、一種又は複数種の前記無線LANアクセスネットワークの状態がそれぞれ予定閾値を持続的に満たして予定時間に達するか及び/又は予定回数に達するか、又は複数種の前記無線LANアクセスネットワークの状態が加重処理された後予定閾値を持続的に満たして予定時間に達するか及び/又は予定回数に達するか、又は複数種の状態のうちのいずれかが予定閾値を持続的に満たして予定時間に達するか及び/又は予定回数に達するとモニタリングすることを含む、という特徴を有する。
【０００９】
選択的に、上記方法は更に、
前記ユーザ装置が、予定時間内又は予定回数の前記無線LANアクセスネットワークの状態がフィルタリング処理された後予定閾値を満たすとモニタリングすることは、
前記ユーザ装置が、前記無線LANアクセスネットワークの状態の予定時間内の複数の時間帯の平均値が加重処理された後予定閾値を満たすとモニタリングすること、
又は前記ユーザ装置が、前記無線LANアクセスネットワークの状態の連続的な予定回数の時間帯の平均値が加重処理された後予定閾値を満たすとモニタリングすること、
又は前記ユーザ装置が、連続的な予定回数の前記無線LANアクセスネットワークの状態が加重処理された後予定閾値を満たすとモニタリングすることを含む、という特徴を有する。
【００１０】
選択的に、上記方法は更に、
前記ユーザ装置が、予定時間内又は予定回数の前記無線LANアクセスネットワークの状態がフィルタリング処理された後予定閾値を満たすとモニタリングすることは、
前記ユーザ装置が、予定時間内又は予定回数の複数種の前記無線LANアクセスネットワークの状態がフィルタリング処理された後それぞれ予定閾値を満たすか、又はフィルタリングされた後更に加重処理された後予定閾値を満たすか、又は複数種の状態のうちのいずれかがフィルタリング処理された後予定閾値を満たすとモニタリングすることを含む、という特徴を有する。
【００１１】
選択的に、上記方法は更に、
前記無線LANアクセスネットワークの状態は、
無線LANアクセスネットワークの信号強度、
無線LANアクセスネットワークの受信信号強度と無線LANアクセスポイントの送信信号強度との比の値、
無線LANアクセスネットワークの信号の信号対干渉雑音比、
無線LANアクセスネットワークのアクセスネットワーク負荷、
無線LANアクセスネットワークが広域ネットワークに接続されたリンクアップリンク負荷、及び
無線LANアクセスネットワークが広域ネットワークに接続されたリンクダウンリンク負荷のうちの一種又は複数種を含む、という特徴を有する。
【００１２】
選択的に、上記方法は更に、
前記ユーザ装置はビーコンフレーム又はパイロットフレームを測定するか、又は前記無線LAN基地局へビーコン要求又はリンク測定要求を送信した後返信したビーコンレポート又はリンク測定レポートを得ることにより、前記無線LANアクセスネットワークの信号強度を取得し、
前記ユーザ装置はビーコンフレーム又はプローブ応答フレームと把握された前記無線LANアクセスネットワークの信号強度を監視することにより、前記無線LANアクセスネットワークの受信信号強度と無線LANアクセスポイントの送信信号強度との比の値を取得し、
前記ユーザ装置はビーコンフレーム又はパイロットフレームを測定するか、又は前記無線LAN基地局へリンク測定要求を送信した後返信したリンク測定レポートを得るか、又は前記無線LAN基地局へノイズヒストグラム要求を送信した後返信したノイズヒストグラムレポートと把握された前記無線LANアクセスネットワークの信号強度を得ることにより、前記無線LANアクセスネットワークの信号の信号対干渉雑音比を取得し、
前記ユーザ装置は、ビーコンフレーム又はプローブ応答フレームを監視するか、又は前記無線LAN基地局へチャネル負荷要求を送信した後返信したチャネル負荷レポートを得ることにより、前記無線LANアクセスネットワークのアクセスネットワーク負荷を取得し、
前記ユーザ装置はビーコンフレーム又はプローブ応答フレームを監視することにより前記無線LANアクセスネットワークが広域ネットワークに接続されたリンクアップリンク負荷と前記無線LANアクセスネットワークが広域ネットワークに接続されたリンクダウンリンク負荷を取得する、という特徴を有する。
【００１３】
選択的に、上記方法は更に、
前記予定閾値が、ネットワーク側がブロードキャスト又はページング又は専用シグナリングにより設定し、又は前記ユーザ装置によりプロトコル規定に従って自分で設定される、という特徴を有する。
【００１４】
選択的に、上記方法は更に、
前記予定時間が、ネットワーク側がブロードキャスト又はページング又は専用シグナリングにより設定し、又は前記ユーザ装置によりプロトコル規定に従って自分で設定される、という特徴を有する。
【００１５】
選択的に、上記方法は更に、
前記予定回数が、ネットワーク側がブロードキャスト又はページング又は専用シグナリングにより設定し、又は前記ユーザ装置によりプロトコル規定に従って自分で設定される、という特徴を有する。
【００１６】
選択的に、上記方法は更に、
前記フィルタリング処理のフィルタリング係数が、ネットワーク側がブロードキャスト又はページング又は専用シグナリングにより設定し、又は前記ユーザ装置によりプロトコル規定に従って自分で設定される、という特徴を有する。
【００１７】
選択的に、上記方法は更に、
前記加重処理の加重係数が、ネットワーク側がブロードキャスト又はページング又は専用シグナリングにより設定し、又は前記ユーザ装置によりプロトコル規定に従って自分で設定される、という特徴を有する。
【００１８】
本発明の実施例はユーザ装置を更に提供し、
無線LANアクセスネットワークの状態が予定閾値を持続的に満たして予定時間に達するか及び/又は予定回数に達するかどうかを監視するか、又は予定時間内又は予定回数の前記無線LANアクセスネットワークの状態がフィルタリング処理された後予定閾値を満たすかどうかを監視するように設定される監視モジュール、
前記監視モジュールが予定条件を満たすとモニタリングする場合に、前記無線LANアクセスネットワークが利用可能なアクセスネットワークであると認定するように設定される判定モジュールを含む。
【００１９】
選択的に、上記ユーザ装置は更に、
前記監視モジュールが、一種又は複数種の前記無線LANアクセスネットワークの状態がそれぞれ予定閾値を持続的に満たして予定時間に達するか及び/又は予定回数に達するかどうか、又は複数種の前記無線LANアクセスネットワークの状態が加重処理された後予定閾値を持続的に満たして予定時間に達するか及び/又は予定回数に達するかどうか、又は複数種の状態のうちのいずれかが予定閾値を持続的に満たして予定時間に達するか及び/又は予定回数に達するかどうかを監視する、という方法により前記無線LANアクセスネットワークの状態が予定閾値を持続的に満たして予定時間に達するか及び/又は予定回数に達するかどうかを監視する、という特徴を有する。
【００２０】
選択的に、上記ユーザ装置は更に、
前記監視モジュールが、前記無線LANアクセスネットワークの状態の予定時間内の複数の時間帯の平均値が加重処理された後予定閾値を満たすかどうかを監視するか、又は前記無線LANアクセスネットワークの状態の連続的な予定回数の時間帯の平均値が加重処理された後予定閾値を満たすかどうかを監視するか、又は連続的な予定回数の前記無線LANアクセスネットワークの状態が加重処理された後予定閾値を満たすかどうかを監視する、という方法により予定時間内又は予定回数の前記無線LANアクセスネットワークの状態がフィルタリング処理された後予定閾値を満たすかどうかをモニタリングする、という特徴を有する。
【００２１】
選択的に、上記ユーザ装置は更に、
前記監視モジュールが、予定時間内又は予定回数の複数種の前記無線LANアクセスネットワークの状態がフィルタリング処理された後それぞれ予定閾値を満たすかどうか、又はフィルタリングされた後更に加重処理された後予定閾値を満たすかどうか、又は複数種の状態のうちのいずれかがフィルタリング処理された後予定閾値を満たすかどうかを監視する、という方法により予定時間内又は予定回数の前記無線LANアクセスネットワークの状態がフィルタリング処理された後予定閾値を満たすことを監視する、という特徴を有する。
【００２２】
選択的に、上記ユーザ装置は更に、
前記監視モジュールがモニタリングした無線LANアクセスネットワークの状態は、
無線LANアクセスネットワークの信号強度、
無線LANアクセスネットワークの受信信号強度と無線LANアクセスポイントの送信信号強度との比の値、
無線LANアクセスネットワークの信号の信号対干渉雑音比、
無線LANアクセスネットワークのアクセスネットワーク負荷、
無線LANアクセスネットワークが広域ネットワークに接続されたリンクアップリンク負荷、及び
無線LANアクセスネットワークが広域ネットワークに接続されたリンクダウンリンク負荷のうちの一種又は複数種を含む、という特徴を有する。
【００２３】
選択的に、上記ユーザ装置は更に、
前記監視モジュールは、
ビーコンフレーム又はパイロットフレームを測定するか、又は前記無線LAN基地局へビーコン要求又はリンク測定要求を送信した後返信したビーコンレポート又はリンク測定レポートを得て、前記無線LANアクセスネットワークの信号強度を取得し、
ビーコンフレーム又はプローブ応答フレームと把握された前記無線LANアクセスネットワークの信号強度を監視し、前記無線LANアクセスネットワークの受信信号強度と無線LANアクセスポイントの送信信号強度との比の値を取得し、
ビーコンフレーム又はパイロットフレームを測定するか、又は前記無線LAN基地局へリンク測定要求を送信した後返信したリンク測定レポートを得るか、又は前記無線LAN基地局へノイズヒストグラム要求を送信した後返信したノイズヒストグラムレポートと把握された前記無線LANアクセスネットワークの信号強度を得ることにより、前記無線LANアクセスネットワークの信号の信号対干渉雑音比を取得し、
ビーコンフレーム又はプローブ応答フレームを監視するか、又は前記無線LAN基地局へチャネル負荷要求を送信した後返信したチャネル負荷レポートを得ることにより、前記無線LANアクセスネットワークのアクセスネットワーク負荷を取得し、及び
ビーコンフレーム又はプローブ応答フレームを監視して、前記無線LANアクセスネットワークが広域ネットワークに接続されたリンクアップリンク負荷と前記無線LANアクセスネットワークが広域ネットワークに接続されたリンクダウンリンク負荷を取得する、という方法の一種又は複数種により、無線LANアクセスネットワークの状態をモニタリングする、という特徴を有する。
【００２４】
選択的に、上記ユーザ装置は更に、
前記ユーザ装置は、
ネットワーク側がブロードキャスト又はページング又は専用シグナリングにより設定するか、又はプロトコル規定に従って自分で設定される前記予定閾値、前記予定時間、前記予定回数、前記フィルタリング処理のフィルタリング係数及び加重処理の加重係数を受け取るように設定される設定モジュールを更に含む、という特徴を有する。
【発明の効果】
【００２５】
以上のように、本発明の実施例は、UEが安定的なWLANアクセスネットワークを選択することを保証し、ピンポン選択が発生する可能性があるリスクを低減することができる利用可能なアクセスネットワークを選択する方法及びユーザ装置を提供する。
【図面の簡単な説明】
【００２６】
ここで説明する図面は本発明の実施例に対する理解を提供し、本願の一部を構成し、本発明の模式的な実施例及びその説明は本発明を解釈するためのものであり、本発明を限定するためのものではない。図面において、
【図１】図1は関連の技術のインターワーキングプロトコルに基づくアーキテクチャの模式図である。
【図２】図2は本発明の実施例の利用可能なアクセスネットワークを選択する方法のフローチャートである。
【図３】図3は本発明の実施例1のフローチャートである。
【図４】図4は本発明の実施例2のフローチャートである。
【図５】図5は本発明の実施例3のフローチャートである。
【図６】図6は本発明の実施例のユーザ装置の模式図である。
【発明を実施するための形態】
【００２７】
以下、図面を参照しながら本発明の実施例を詳しく説明する。なお、衝突しない場合に、本願における実施例及び実施例における特徴を互いに任意に組み合わせることができる。
【００２８】
図2は本発明の実施例の利用可能なアクセスネットワークを選択する方法のフローチャートであり、図2に示すように、本実施例の方法は以下のステップS11〜S12を含む。
【００２９】
S11、UEは一種又は複数種のWLANアクセスネットワークの状態を取得する。
【００３０】
S12、UEは、前記WLANアクセスネットワークの状態が予定閾値を持続的に満たして予定時間に達するか及び/又は予定回数に達するとモニタリングするか、又は予定時間内又は予定回数の前記WLANアクセスネットワークの状態がフィルタリング処理された後予定閾値を満たすとモニタリングする場合、前記WLANアクセスネットワークが利用可能なアクセスネットワークであると認定する。
【００３１】
1つの好ましい実施例において、UEは複数種の無線LANアクセスネットワークの状態を取得し、UEは、一種又は複数種のWLANアクセスネットワークの状態がそれぞれ予定閾値を持続的に満たして予定時間に達するか及び/又は予定回数に達するか、又は加重処理された後予定閾値を持続的に満たして予定時間に達するか及び/又は予定回数に達するか、又は複数種のうちのいずれかが予定閾値を持続的に満たして予定時間に達するか及び/又は予定回数に達するとモニタリングする場合、前記WLANアクセスネットワークが利用可能なアクセスネットワークであると認定する。
【００３２】
1つの好ましい実施例において、UEは、前記無線LANアクセスネットワークの状態の予定時間内の複数の時間帯の平均値が加重処理された後予定閾値を満たすとモニタリングするか、又は前記ユーザ装置は、前記無線LANアクセスネットワークの状態の連続的な予定回数の時間帯の平均値が加重処理された後予定閾値を満たすとモニタリングするか、又は前記ユーザ装置は、連続的な予定回数の前記無線LANアクセスネットワークの状態が加重処理された後予定閾値を満たすとモニタリングする場合、前記WLANアクセスネットワークが利用可能なアクセスネットワークであると認定する。
【００３３】
1つの好ましい実施例において、UEは複数種の無線LANアクセスネットワークの状態を取得し、UEは、予定時間内又は予定回数の複数種の無線LANアクセスネットワークの状態がフィルタリング処理された後それぞれ予定閾値を満たすか又はフィルタリングされた後更に加重処理された後予定閾値を満たすか又は複数種の状態のうちのいずれかが予定閾値を満たすとモニタリングする場合、前記WLANアクセスネットワークが利用可能なアクセスネットワークであると認定する。
【００３４】
前記WLANアクセスネットワークの状態は、
WLANアクセスネットワークの信号強度、
WLANアクセスネットワークの受信信号強度とWLANアクセスポイントの送信信号強度との比の値、
WLANアクセスネットワークの信号の信号対干渉雑音比、
WLANアクセスネットワークのアクセスネットワーク負荷、
WLANアクセスネットワークが広域ネットワークに接続されたリンクアップリンク負荷、
WLANアクセスネットワークが広域ネットワークに接続されたリンクダウンリンク負荷のうちの一種又は複数種を含む。
【００３５】
前記予定閾値は、ネットワーク側がブロードキャスト又はページング又は専用シグナリングにより設定し、又は前記ユーザ装置によりプロトコル規定に従って自分で設定される。
【００３６】
前記予定時間は、ネットワーク側がブロードキャスト又はページング又は専用シグナリングにより設定し、又は前記ユーザ装置によりプロトコル規定に従って自分で設定される。
【００３７】
前記予定回数は、ネットワーク側がブロードキャスト又はページング又は専用シグナリングにより設定し、又は前記ユーザ装置によりプロトコル規定に従って自分で設定される。
【００３８】
前記加重処理の加重係数は、ネットワーク側がブロードキャスト又はページング又は専用シグナリングにより設定し、又は前記ユーザ装置によりプロトコル規定に従って自分で設定される。
【００３９】
前記フィルタリング処理のフィルタリング係数は、ネットワーク側がブロードキャスト又はページング又は専用シグナリングにより設定し、又は前記ユーザ装置によりプロトコル規定に従って自分で設定される。
【００４０】
このように、本発明の実施例の方法は、UEが安定的なWLANアクセスネットワークを選択することを保証し、ピンポン選択が発生する可能性があるリスクを低減することができる。
【００４１】
以下、幾つかの具体的な実施例を参照しながら本発明の方法を詳しく説明する。
【００４２】
実施例1
図３は本発明の実施例1の具体的なフローチャートである。
【００４３】
S201、コアネットワークノード（CN Node 204）はユーザ装置（UE 200）へコアネットワークポリシー及び補助情報を送信する。
【００４４】
本実施例において、典型的なコアネットワークノードはANDSF、又は移動管理エンティティ（Mobility Management Entity、MMEと略称する）、又は公衆データネットワークゲートウェイ（Public Data Network Gateway、P-GWと略称する）、又はサービスゲートウェイ（Serving Gateway、S-GWと略称する）等のノードである。CN Node 204は主動又は受動的にUE 200へ幾つかのオペレータが推奨するポリシー及びUE 200がネットワークをより良く選択することを補助できるアクセスネットワーク関連の情報を提供することができる。
【００４５】
ANDSFを例として、ANDSFはUE 200へシステム間移動ポリシー（Inter-System Mobility Policy、ISMPと略称する）、アクセスネットワーク発見情報（Access Network Discovery Information）及びシステム間ルーティングポリシー（Inter-System Routing Policy、ISRPと略称する）を提供することができる。
【００４６】
ISMPは、異なる無線アクセス技術の優先度、及び同じ無線アクセス技術の異なる無線アクセスネットワークの間の優先度、及び一部の制限情報、例えばある無線アクセス技術から他種の無線アクセス技術に変換することがどの時間帯又はずっと許可されない等の内容を含む。
【００４７】
アクセスネットワーク発見情報はUEの付近にどのような無線アクセスネットワークがある可能性があるかを含み、無線アクセスネットワークの識別子、位置等の情報を含む。
【００４８】
ISRPは、UEが同時に2種の無線アクセス技術に接続されることができる場合、どのようなインターネットプロトコルストリーム（IP flow）又はPDN（Public Data Network、公用データネットワーク）接続がどのような無線アクセス技術を使用することが最も好ましいか、どのようなIP flow又はPDN接続がどのような無線アクセス技術を使用することが許可されない等の内容を含む。
【００４９】
S203、アクセスネットワークノード（RAN Node 202）はUE 200へRAN（アクセスネットワーク）補助情報を送信する。
【００５０】
本実施例において、典型的なアクセスネットワークノードはエボリューションした基地局ノード（eNB）、基地局ノード（NB）、無線ネットワークコントローラ（Radio Network Controller、RNCと略称する）、ベーストランシーバ基地局（Base Transceiver Station、BTSと略称する）、基地局制御装置（Base Station Controller、BSCと略称する）である。
【００５１】
RAN Node 202は周期又は非周期的にUE 200へ一部の補助情報、例えば現在のRANの負荷情報を提供する。eNBを例として、eNBはブロードキャスト又はページングメッセージにRANの負荷情報及びRANがコアネットワークに接続されるリンクでの負荷を添加できる。具体的な負荷情報はリソース使用百分率又はセルスループット、リンク速度、又は負荷レベル指示等の方式で表すことができる。
【００５２】
S205、UE 200はWLAN走査を起動し、WLAN状態パラメータを取得する。
【００５３】
UEはRAN及びCN（Core Network、コアネットワーク）が提供した補助情報とポリシーにより、現在、一部のサービスをWLANネットワークに分流することによりユーザ体験がより高いサービスを取得するか又はRAN側の負荷を減少するか又はオペレータが確定したポリシーに従うと認定すると、UEはWLAN走査及び/又はWLAN状態パラメータ取得の工程を起動する。
【００５４】
UEは異なるチャネルを走査することによりWLANアクセスポイント（Access Point、APと略称する）擬似周期ブロードキャストのビーコンフレーム（Beaconフレーム）を検知することができ、BeaconフレームにはWLANネットワークの識別子が含まれ、UEはBeaconフレームを監視することにより付近にどのようなWLANがあるかを確定する。
【００５５】
UEはBeaconフレーム又はパイロットフレーム（Measurement Pilot Frame）を測定することによりWLANアクセスネットワークの信号強度を取得することができ、具体的に、受信信号強度指示（Received Signal Strength Indication、RSSIと略称する）、又は受信チャネルパワー指示（Received Channel Power Indicator、RCPIと略称する）を測定することができる。
【００５６】
UEはBeaconフレーム又はプローブ応答フレーム（Probe Response Frame）を監視することにより無線LANアクセスポイントの送信信号強度を取得することができ、具体的に、Beaconフレーム又はProbe Response Frameでの伝送パワー制御（Transmit Power Control）レポート要素（TPC Report element）により取得することができ、把握されたWLANアクセスネットワークの信号強度とWLANアクセスポイント（Access Point、 APと略称する）送信信号強度により無線LANアクセスネットワークの受信信号強度と無線LANアクセスポイントの送信信号強度との比の値を取得することができ、
UEはBeaconフレーム又はMeasurement Pilotフレームを測定することによりWLANアクセスネットワークの信号の信号対干渉雑音比を取得することができ、具体的に、RSSI又はRCPIと平均ノイズパワー指示（Average Noise Power Indicator、ANPIと略称する）を測定することにより受信信号対雑音比指示（Received Signal to Noise Indicator、RSNIと略称する）を算出することができる。
【００５７】
UEは、Beaconフレーム又はプローブ応答フレーム（Probe Response Frame）を監視することによりWLANアクセスネットワークのアクセスネットワーク負荷とWLANアクセスネットワークが広域ネットワークに接続されたリンクアップリンク及び/又はダウンリンク負荷を取得することができ、具体的にはBeaconフレーム又はProbe Responseフレームにおける基本サービスセット負荷要素（BSS Load element）を監視することにより取得することができ、具体的にはBeaconフレーム又はProbe Responseフレームにおける広域ネットワークメトリック要素（WAN Metrics element）を監視することにより取得することができる。
【００５８】
UEは他のWLAN基地局（STA（移動台）と略称する）へBeacon Request（ビーコン要求）、Link Measurement Request（リンク測定要求）を送信して、他のSTAが返信したBeacon Report（ビーコンレポート）、Link Measurement Report（リンク測定レポート）を取得すると、WLANアクセスネットワークの信号強度を取得することができる。
【００５９】
UEは他のSTAへLink Measurement Requestを送信して、他のSTAが返信したLink Measurement Reportを受信すると、WLANアクセスネットワークの信号の信号対干渉雑音比を取得することができ、UEは他のSTAへノイズヒストグラム要求（Noise Histogram Request）を送信して、Noise Histogram Report（ノイズヒストグラムレポート）を取得すると、自己が把握したWLANアクセスネットワークの信号強度に基づいて、計算によりWLANアクセスネットワークの信号の信号対干渉雑音比を取得することができる。
【００６０】
UEは他のSTAへChannel load Request（チャネル負荷要求）を送信して、他のSTAが返信したChannel load Report（チャネル負荷レポート）を取得すると、UEはWLANアクセスネットワークのアクセスネットワーク負荷を取得することができる。
【００６１】
S207、UE 200は利用可能なアクセスネットワークリストを確定し、最適なWLANアクセスネットワーク、又は1番目のモニタリングした利用可能なWLANネットワークを選択する。
【００６２】
発生可能なWLANと3gppとの間の頻繁な切り替えを減少するために、UEが選択したWLANアクセスネットワークが安定的なものであると確保しなければならず、UEはステップS205により取得した異なるWLANネットワークの一種又は複数種の状態パラメータに基づいてスクリーニングし、利用可能なアクセスネットワークリストを確定し、且つそのうちから最適なアクセスネットワークを選択する必要がある。
【００６３】
端末デバイス製造業者はデバイスを生産する際に業界標準、又はプロトコル規定によりUEの内部に予定閾値及び/又は予定時間及び/又は予定回数をプリセットすることができる。UEは3gppとWLANネットワークのinterworkingを実行して、利用可能なアクセスネットワークを確定する必要がある場合、WLANネットワークの状態パラメータはプリセットされた値及びプリセットされた条件を満たさなければならない場合しか、該WLANネットワークは利用可能なネットワークであると考えられることができない。プリセットされた条件は、
WLANアクセスネットワークの信号強度が持続的に予定閾値よりも高いか又はその以上であり予定時間に達する場合、
WLANアクセスネットワークの信号強度が持続的に予定閾値よりも高いか又はその以上であり予定回数に達する場合、
WLANアクセスネットワークの受信信号強度と無線LANアクセスポイントの送信信号強度との比の値が持続的に予定閾値よりも高いか又はその以上であり予定時間に達する場合、
WLANアクセスネットワークの受信信号強度と無線LANアクセスポイントの送信信号強度との比の値が持続的に予定閾値よりも高いか又はその以上であり予定回数に達する場合、
WLANアクセスネットワークの信号の信号対干渉雑音比が持続的に予定閾値よりも高いか又はその以上であり予定時間に達する場合、
WLANアクセスネットワークの信号の信号対干渉雑音比が持続的に予定閾値よりも高いか又はその以上であり予定回数に達する場合、
WLANアクセスネットワークのアクセスネットワーク負荷が持続的に予定閾値よりも低いか又はその以下であり予定時間に達する場合、
WLANアクセスネットワークのアクセスネットワーク負荷が持続的に予定閾値よりも低いか又はその以下であり予定回数に達する場合、
WLANアクセスネットワークが広域ネットワークに接続されたリンクアップリンク負荷は予定閾値よりも低いか又はその以下であり予定時間に達する場合、
WLANアクセスネットワークが広域ネットワークに接続されたリンクアップリンク負荷は予定閾値よりも低いか又はその以下であり予定回数に達する場合、
WLANアクセスネットワークが広域ネットワークに接続されたリンクダウンリンク負荷は予定閾値よりも低いか又はその以下であり予定時間に達する場合、
WLANアクセスネットワークが広域ネットワークに接続されたリンクダウンリンク負荷は予定閾値よりも低いか又はその以下であり予定回数に達する場合、の任意の1つ及び任意の組合せであってよい。
【００６４】
予定時間内又は予定回数のWLANアクセスネットワークの信号強度がフィルタリング処理された後予定閾値よりも高いか又はその以上であるとモニタリングする場合、具体的には、以下の1）、2）、3）の3種を含む。
【００６５】
1）WLANアクセスネットワークの信号強度の予定時間での複数の時間帯の平均値がフィルタリング処理された後予定閾値よりも高いか又はその以上である場合。
【００６６】
例えば、UEが予定時間内の1番目の時間帯で測定したProbe Responseの平均信号強度はS1であり、UEが予定時間内の2番目の時間帯で測定したProbe Responseの平均信号強度はS2であり、予定閾値はThreshold1であり、k×S1＋（1-k）×S2はThreshold1よりも大きく、kがフィルタリング係数であり、値の範囲が0≦k≦1である場合、該WLANネットワークは利用可能なものである。
【００６７】
2）WLANアクセスネットワークの信号強度の連続的な予定回数の時間帯の平均値がフィルタリング処理された後予定閾値よりも高いか又はその以上である場合。
【００６８】
例えば、UEが2番目の時間帯で測定したProbe Responseの平均信号強度はS2であり、UEが3番目の時間帯で測定したProbe Responseの平均信号強度はS3であり、 予定回数は2回であり、予定閾値はThreshold1であり、k×S2＋（1-k）×S3はThreshold1よりも大きく、kがフィルタリング係数であり、値の範囲が0≦k≦1である場合、該WLANネットワークは利用可能なものである。
【００６９】
3）ユーザ装置は連続的な予定回数のWLANアクセスネットワークの信号強度がフィルタリング処理された後予定閾値よりも高いか又はその以上であるとモニタリングする場合。
【００７０】
例えば、UEが第1回に測定したBeaconの信号強度はS1であり、第2回に測定したBeaconの信号強度はS2であり、予定閾値はThreshold1であり、k×S1＋（1-k）×S2はThreshold1よりも大きく、kがフィルタリング係数であり、値の範囲が0≦k≦1である場合、該WLANネットワークが利用可能なものである。
【００７１】
「フィルタリング処理」とは連続的に取得したある状態の複数の値に対して加重平均を行う処理方式であり、各値の加重係数がフィルタリング係数と称し、フィルタリング係数の値の範囲が0〜1にあり、境界
値を含む。
【００７２】
予定時間内又は予定回数のWLANアクセスネットワークの受信信号強度と無線LANアクセスポイントの送信信号強度との比の値がフィルタリング処理された後予定閾値よりも高いか又はその以上であるとモニタリングする場合、
予定時間内又は予定回数のWLANアクセスネットワークの信号対干渉雑音比がフィルタリング処理された後予定閾値よりも高いか又はその以上であるとモニタリングする場合、
予定時間内又は予定回数のWLANアクセスネットワークのアクセスネットワーク負荷がフィルタリング処理された後予定閾値よりも低いか又はその以下であるとモニタリングする場合、
予定時間内又は予定回数のWLANアクセスネットワークが広域ネットワークに接続されたリンクアップリンク負荷がフィルタリング処理された後予定閾値よりも低いか又はその以下であるとモニタリングする場合、
予定時間内又は予定回数のWLANアクセスネットワークが広域ネットワークに接続されたリンクダウンリンク負荷がフィルタリング処理された後予定閾値よりも低いか又はその以下であるとモニタリングする場合、
WLANアクセスネットワークの信号強度、WLANアクセスネットワークの受信信号強度とWLANアクセスポイントの送信信号強度との比の値、WLANアクセスネットワークの信号の信号対干渉雑音比、WLANアクセスネットワークのアクセスネットワーク負荷、WLANアクセスネットワークが広域ネットワークに接続されたリンクアップリンク負荷とWLANアクセスネットワークが広域ネットワークに接続されたリンクダウンリンク負荷の任意の組合せが加重処理された後持続的に予定閾値よりも高いか又はその以上であるか、又は持続的に予定閾値よりも低いか又はその以下であり予定時間に達するか及び/又は予定回数に達するとモニタリングする場合。
【００７３】
例えば、UEが第1回に監視したWLANアクセスネットワークの受信信号強度とWLANアクセスポイントの送信信号強度との比の値はD1であり、UEが予定時間内で第1回に監視したWLANアクセスネットワークのアクセスネットワーク負荷はT1であり、予定閾値はThreshold1であり、（1-k）×D1＋k×T1はThreshold1よりも大きく、kが加重係数であり、且つ-1≦k≦0であり、UEが第2回に監視したWLANアクセスネットワークの受信信号強度とWLANアクセスポイントの送信信号強度との比の値はD2であり、UEが予定時間内で第2回に監視したWLANアクセスネットワークのアクセスネットワーク負荷はT2であり、（1-k）×D2＋k×T2はThreshold1よりも大きく、予定回数は2である場合、該WLANネットワークは利用可能なものである。
【００７４】
例えば、UEの監視により、WLANアクセスネットワークの信号強度S2、WLANアクセスネットワークの信号の信号対干渉雑音比SINR2が加重処理された後持続的に予定閾値Threshold2よりも高いか又はその以上であり予定時間T2に達し、T2時間内において、a×S2＋（1-a）×SINR2>Threshold2を満たし、aが加重係数であり、値の範囲が0≦a≦1であり、
予定時間内又は予定回数のWLANアクセスネットワークの信号強度、WLANアクセスネットワークの受信信号強度とWLANアクセスポイントの送信信号強度との比の値、WLANアクセスネットワークの信号の信号対干渉雑音比、WLANアクセスネットワークのアクセスネットワーク負荷、WLANアクセスネットワークが広域ネットワークに接続されたリンクアップリンク負荷とWLANアクセスネットワークが広域ネットワークに接続されたリンクダウンリンク負荷の任意の組合せが、それぞれフィルタリングされた後更に加重処理された後予定閾値よりも高いか又はその以上であるか、又は予定閾値よりも低いか又はその以下であるとモニタリングし、フィルタリング処理と加重処理の方法は上記と同じである。
【００７５】
UEは上記プリセット条件を利用して利用可能なアクセスネットワークリストを確定した後、そのうちから最適なWLANアクセスネットワークを選択して関連等の工程を実行する。
【００７６】
最適なWLANアクセスネットワークを選択することは上記の利用可能なアクセスネットワークリストを確定する際使用する方法を利用することができ、異なる利用可能なWLANアクセスネットワークの状態、又は複数種の状態の加重値を比較して、最適なものを選択する。
【００７７】
実施例2
図4は本発明の実施例2の具体的なフローチャートである。
【００７８】
S301、コアネットワークノード（CN Node 304）はユーザ装置（UE 300）へコアネットワークポリシー及び補助情報を送信する。
【００７９】
該ステップはS201と同じで、繰り返して説明しない。
【００８０】
S303、アクセスネットワークノード（RAN Node 302）はUE 300へRAN制御情報を送信する。
【００８１】
RAN制御情報は、有効なWLAN識別子、予定時間値、予定閾値、予定回数値、加重パラメータ値、利用可能なアクセスネットワークを選択する条件の任意の組合せを含む。利用可能なアクセスネットワークを選択する条件はS207におけるプリセットの条件と同じである。
【００８２】
S305、UE 300はWLAN走査を起動し、WLAN状態パラメータを取得する。
【００８３】
該ステップはS205と同じで、繰り返して説明しない。
【００８４】
S307、UE 300は利用可能なアクセスネットワークリストを確定し、最適なWLANアクセスネットワークを選択し、又は1番目のモニタリングした利用可能なWLANアクセスネットワークを選択する。
【００８５】
UEはRANノードが通知した制御情報、CNノードが通知したポリシーと補助情報及びS305で取得されたWLANネットワークの状態パラメータにより、利用可能なアクセスネットワークリストを確定するとともに、そのうちから最適なアクセスネットワークを選択して関連等の工程を実行する。
【００８６】
最適なWLANアクセスネットワークを選択することは上記の利用可能なアクセスネットワークリストを確定する際使用する方法を利用することができ、異なる利用可能なWLANアクセスネットワークの状態、又は複数種状態の加重値を比較して、最適なものを選択する。
【００８７】
実施例3
図5は本発明の実施例3の具体的なフローチャートである。
【００８８】
S401、コアネットワークノード（CN Node 404）はユーザ装置（UE 400）へコアネットワークポリシー及び補助情報を送信する。
【００８９】
該ステップはS201と同じで、繰り返して説明しない。
【００９０】
S403、アクセスネットワークノード（RAN Node 402）はUE 400へRAN制御情報を送信する。
【００９１】
該ステップはS303と同じで、繰り返して説明しない。
【００９２】
S405、UE 400はWLAN走査を起動し、WLAN状態パラメータを取得する。
【００９３】
該ステップはS205と同じで、繰り返して説明しない。
【００９４】
S407、UE 400は利用可能なアクセスネットワークリストを確定する。
【００９５】
UEはRANノードが通知した制御情報、CNノードが通知したポリシーと補助情報及びS305で取得されたWLANネットワークの状態パラメータに基づいて、利用可能なアクセスネットワークリストを確定する。
【００９６】
S409、UE 400は利用可能なアクセスネットワークリストをRAN Node 402に送信する。
【００９７】
UEは確定された利用可能なアクセスネットワークリストをRAN Nodeに送信し、UEがあるWLANネットワークにアクセスすることを許可するか、及びどのWLANネットワークにアクセスするかというRAN Nodeの最終決定を待っている。
【００９８】
S4011、RAN Node 402は決定結果をUE 400に送信する。
【００９９】
RAN NodeはS409で取得された利用可能なアクセスネットワークリスト、及び自己が受信した他のUEの利用可能なアクセスリスト、及び他の方式、例えばトータルステーションのWLAN AP部、又は他のUEが報告した一部のWLANに関する補助情報に基づいて、どのようなUEがあるWLANネットワークに入るか、どのようなUEが別のWLANネットワークに入るか、どのようなUEがWLANネットワークにアクセスしないかを統一に計画し、且つ最終的な決定結果をUEに送信する。
【０１００】
このように、複数のUEがあるWLANネットワークが最適なものであることを同時に認定して、該WLANネットワークに同時にアクセスして該WLANネットワークの過負荷を引き起こし、それによりこれらのUEがサービスを取得することができず、RANに戻り、ユーザ体験に影響するとともに、リソースとUEのエネルギーを浪費することを防止することができる。
【０１０１】
以上のように、本発明の実施例はネットワーク側によりUEに予定の閾値等のパラメータ及び利用可能なアクセスネットワークを選択する条件又はUE自体の内部プリセット閾値等のパラメータ及びアクセスネットワークを選択する条件を設定することにより、UEが適当なWLANネットワークを選択して、ユーザ体験を向上させ、ネットワークのリソース利用率を向上させ、UE電力を節約することを確保することができる。
【０１０２】
図6は本発明の実施例のユーザ装置の模式図であり、図6に示すように、本実施例のユーザ装置は、
無線LANアクセスネットワークの状態が予定閾値を持続的に満たして予定時間に達するか及び/又は予定回数に達するかどうかを監視するか、又は予定時間内又は予定回数の前記無線LANアクセスネットワークの状態がフィルタリング処理された後予定閾値を満たすかどうかを監視するように設定された監視モジュール601、
前記監視モジュールが予定条件を満たすとモニタリングする場合に、前記無線LANアクセスネットワークが利用可能なアクセスネットワークであると認定するように設定された判定モジュール602を含む。
【０１０３】
1つの好ましい実施例において、
前記監視モジュール601は、一種又は複数種の無線LANアクセスネットワークの状態がそれぞれ予定閾値を持続的に満たして予定時間に達するか及び/又は予定回数に達するかどうか、又は複数種の無線LANアクセスネットワークの状態が加重処理された後予定閾値を持続的に満たして予定時間に達するか及び/又は予定回数に達するかどうか、又は複数種の状態のいずれかが予定閾値を持続的に満たして予定時間に達するか及び/又は予定回数に達するかどうかを監視する、という方法により前記無線LANアクセスネットワークの状態が予定閾値を持続的に満たして予定時間に達するか及び/又は予定回数に達するかどうかを監視する。
【０１０４】
1つの好ましい実施例において、
前記監視モジュール601は、前記無線LANアクセスネットワークの状態の予定時間内の複数の時間帯の平均値が加重処理された後予定閾値を満たすかどうかを監視するか、又は前記無線LANアクセスネットワークの状態の連続的な予定回数の時間帯の平均値が加重処理された後予定閾値を満たすかどうかを監視するか、又は連続的な予定回数の前記無線LANアクセスネットワークの状態が加重処理された後予定閾値を満たすかどうかを監視する、という方法により、予定時間内又は予定回数の前記無線LANアクセスネットワークの状態がフィルタリング処理された後予定閾値を満たすかどうかをモニタリングする。
【０１０５】
1つの好ましい実施例において、
前記監視モジュール601は、予定時間内又は予定回数の複数種の無線LANアクセスネットワークの状態がフィルタリング処理された後それぞれ予定閾値を満たすかどうか、又はフィルタリングされた後更に加重処理された後予定閾値を満たすかどうか、又は複数種の状態のいずれかがフィルタリング処理された後予定閾値を満たすかどうかを監視する、という方法により予定時間内又は予定回数の前記無線LANアクセスネットワークの状態がフィルタリング処理された後予定閾値を満たすことを監視する。
【０１０６】
前記監視モジュール601が監視したWLANアクセスネットワークの状態は、
WLANアクセスネットワークの信号強度、
WLANアクセスネットワークの受信信号強度とWLANアクセスポイントの送信信号強度との比の値、
WLANアクセスネットワークの信号の信号対干渉雑音比、
WLANアクセスネットワークのアクセスネットワーク負荷、
WLANアクセスネットワークが広域ネットワークに接続されたリンクアップリンク負荷、
WLANアクセスネットワークが広域ネットワークに接続されたリンクダウンリンク負荷の一種又は複数種を含む。
【０１０７】
前記監視モジュール601はビーコンフレーム又はパイロットフレームを測定するか、又は前記無線LAN基地局へビーコン要求又はリンク測定要求を送信した後返信したビーコンレポート又はリンク測定レポートを得ることにより、前記無線LANアクセスネットワークの信号強度を取得し、ビーコンフレーム又はプローブ応答フレームと把握された前記無線LANアクセスネットワークの信号強度を監視することにより、前記無線LANアクセスネットワークの受信信号強度と無線LANアクセスポイントの送信信号強度との比の値を取得し、ビーコンフレーム又はパイロットフレームを測定するか、又は前記無線LAN基地局へリンク測定要求を送信した後返信したリンク測定レポートを得るか、又は前記無線LAN基地局へノイズヒストグラム要求を送信した後返信したノイズヒストグラムレポートと把握された前記無線LANアクセスネットワークの信号強度を得ることにより、前記無線LANアクセスネットワークの信号の信号対干渉雑音比を取得し、ビーコンフレーム又はプローブ応答フレームを監視するか、又は前記無線LAN基地局へチャネル負荷要求を送信した後返信したチャネル負荷レポートを得ることにより、前記無線LANアクセスネットワークのアクセスネットワーク負荷を取得し、ビーコンフレーム又はプローブ応答フレームを監視することにより前記無線LANアクセスネットワークが広域ネットワークに接続されたリンクアップリンク負荷と前記無線LANアクセスネットワークが広域ネットワークに接続されたリンクダウンリンク負荷を取得する。
【０１０８】
前記ユーザ装置は、
ネットワーク側がブロードキャスト又はページング又は専用シグナリングにより設定するか、又はプロトコル規定に従って自分で設定される前記予定閾値、前記予定時間、前記予定回数及び前記フィルタリング処理のフィルタリング係数を受け取るように設定された設定モジュール603を更に含んでよい。
【０１０９】
著しく、当業者は、上記の本発明の各モジュール又は各ステップは汎用の計算装置によって実現することができ、それらは単一の計算装置に集積してよく、又は複数の計算装置からなるネットワークに配布されてもよく、選択的に、それらは、計算装置が実行可能なプログラムコードで実現してよく、それにより、それらを記憶装置に記憶して計算装置で実行してよく、又はそれらをそれぞれ各集積回路モジュールに製造して、又はそれらにおける複数のモジュール又はステップを単一の集積回路モジュールに製造して実現してよいことを了解すべきである。このように、本発明はいずれの特定のハードウェアとソフトウェアの組み合わせに限定されたものではない。
【０１１０】
上記のものは単に本発明の好ましい実施例であるだけで、本発明を限定するためのものではない。当業者にとって、本発明は各種の変更と変化を行うことができる。本発明の精神と原則にある限り、行ったいずれの修正、等価置き換え、改善などは、いずれも本発明の保護範囲に含まれるべきである。
【産業上の利用可能性】
【０１１１】
本発明の実施例は、UEが安定的なWLANアクセスネットワークを選択することを保証し、ピンポン選択が発生する可能性があるリスクを低減することができる利用可能なアクセスネットワークを選択する方法及びユーザ装置を提供する。
【図１】
2016518084.tif 000003
【図２】
2016518084.tif 000004
【図３】
2016518084.tif 000005
【図４】
2016518084.tif 000006
【図５】
2016518084.tif 000007
【図６】
2016518084.tif 000008
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
ユーザ装置が、無線LANアクセスネットワークの状態が予定閾値を持続的に満たして予定時間に達する及び/又は予定回数に達するとモニタリングする場合、又は予定時間内又は予定回数の前記無線LANアクセスネットワークの状態がフィルタリング処理された後予定閾値を満たすとモニタリングする場合、前記無線LANアクセスネットワークが利用可能なアクセスネットワークであると認定することを含む利用可能なアクセスネットワークを選択する方法。
【請求項２】
前記ユーザ装置が、前記無線LANアクセスネットワークの状態が予定閾値を持続的に満たして予定時間に達する及び/又は予定回数に達するとモニタリングすることは、
前記ユーザ装置が、一種又は複数種の前記無線LANアクセスネットワークの状態がそれぞれ予定閾値を持続的に満たして予定時間に達する及び/又は予定回数に達する、又は複数種の前記無線LANアクセスネットワークの状態が加重処理された後予定閾値を持続的に満たして予定時間に達する及び/又は予定回数に達する、又は複数種の前記無線LANアクセスネットワークの状態のいずれかの一種が予定閾値を持続的に満たして予定時間に達する及び/又は予定回数に達するとモニタリングすることを含む請求項1に記載の方法。
【請求項３】
前記ユーザ装置が、予定時間内又は予定回数の前記無線LANアクセスネットワークの状態がフィルタリング処理された後予定閾値を満たすとモニタリングすることは、
前記ユーザ装置が、前記無線LANアクセスネットワークの状態の予定時間内の複数の時間帯での平均値が加重処理された後予定閾値を満たすとモニタリングすること、
又は前記ユーザ装置が、前記無線LANアクセスネットワークの状態の連続的な予定回数の時間帯での平均値が加重処理された後予定閾値を満たすとモニタリングすること、
又は前記ユーザ装置が、連続的な予定回数の前記無線LANアクセスネットワークの状態が加重処理された後予定閾値を満たすとモニタリングすることを含む請求項1に記載の方法。
【請求項４】
前記ユーザ装置が、予定時間内又は予定回数の前記無線LANアクセスネットワークの状態がフィルタリング処理された後予定閾値を満たすとモニタリングすることは、
前記ユーザ装置が、予定時間内又は予定回数の複数種の前記無線LANアクセスネットワークの状態がフィルタリング処理された後それぞれ予定閾値を満たす、又はフィルタリングされた後更に加重処理された後予定閾値を満たす、又は複数種の前記無線LANアクセスネットワークの状態のいずれかの一種がフィルタリング処理された後予定閾値を満たすとモニタリングすることを含む請求項1に記載の方法。
【請求項５】
前記無線LANアクセスネットワークの状態は、
無線LANアクセスネットワークの信号強度、
無線LANアクセスネットワークの受信信号強度と無線LANアクセスポイントの送信信号強度との比の値、
無線LANアクセスネットワークの信号の信号対干渉雑音比、
無線LANアクセスネットワークのアクセスネットワーク負荷、
無線LANアクセスネットワークが広域ネットワークに接続されたリンクアップリンク負荷、及び
無線LANアクセスネットワークが広域ネットワークに接続されたリンクダウンリンク負荷の一種又は複数種を含む請求項1〜4のいずれか一項に記載の方法。
【請求項６】
前記ユーザ装置はビーコンフレーム又はパイロットフレームを測定する、又は前記無線LAN基地局へビーコン要求又はリンク測定要求を送信した後返信したビーコンレポート又はリンク測定レポートを得ることにより、前記無線LANアクセスネットワークの信号強度を取得し、
前記ユーザ装置はビーコンフレーム又はプローブ応答フレームと把握された前記無線LANアクセスネットワークの信号強度を監視することにより、前記無線LANアクセスネットワークの受信信号強度と無線LANアクセスポイントの送信信号強度との比の値を取得し、
前記ユーザ装置はビーコンフレーム又はパイロットフレームを測定することにより、又は前記無線LAN基地局へリンク測定要求を送信した後返信したリンク測定レポートを得ることにより、又は前記無線LAN基地局へノイズヒストグラム要求を送信した後返信したノイズヒストグラムレポートと把握された前記無線LANアクセスネットワークの信号強度を得ることにより、前記無線LANアクセスネットワークの信号の信号対干渉雑音比を取得し、
前記ユーザ装置は、ビーコンフレーム又はプローブ応答フレームを監視することにより、又は前記無線LAN基地局へチャネル負荷要求を送信した後返信したチャネル負荷レポートを得ることにより、前記無線LANアクセスネットワークのアクセスネットワーク負荷を取得し、
前記ユーザ装置はビーコンフレーム又はプローブ応答フレームを監視することにより、前記無線LANアクセスネットワークが広域ネットワークに接続されたリンクアップリンク負荷と前記無線LANアクセスネットワークが広域ネットワークに接続されたリンクダウンリンク負荷を取得する請求項5に記載の方法。
【請求項７】
前記予定閾値はネットワーク側がブロードキャスト又はページング又は専用シグナリングにより設定し、又は前記ユーザ装置によりプロトコル規定に従って自分で設定され、
又は
前記予定時間はネットワーク側がブロードキャスト又はページング又は専用シグナリングにより設定され、又は前記ユーザ装置によりプロトコル規定に従って自分で設定され、
又は
前記予定回数はネットワーク側がブロードキャスト又はページング又は専用シグナリングにより設定し、又は前記ユーザ装置によりプロトコル規定に従って自分で設定され、
又は
前記フィルタリング処理のフィルタリング係数はネットワーク側がブロードキャスト又はページング又は専用シグナリングにより設定し、又は前記ユーザ装置によりプロトコル規定に従って自分で設定される請求項1〜4のいずれか一項に記載の方法。
【請求項８】
前記加重処理の加重係数はネットワーク側がブロードキャスト又はページング又は専用シグナリングにより設定され、又は前記ユーザ装置によりプロトコル規定に従って自分で設定される請求項2〜4のいずれか一項に記載の方法。
【請求項９】
無線LANアクセスネットワークの状態が予定閾値を持続的に満たして予定時間に達する及び/又は予定回数に達するかどうかを監視する、又は予定時間内又は予定回数の前記無線LANアクセスネットワークの状態がフィルタリング処理された後予定閾値を満たすかどうかを監視するように設定される監視モジュール、
前記監視モジュールが予定条件を満たすとモニタリングする場合に、前記無線LANアクセスネットワークが利用可能なアクセスネットワークであると認定するように設定される判定モジュールを含むユーザ装置。
【請求項１０】
前記監視モジュールは、
一種又は複数種の前記無線LANアクセスネットワークの状態がそれぞれ予定閾値を持続的に満たして予定時間に達する及び/又は予定回数に達するかどうか、又は複数種の前記無線LANアクセスネットワークの状態が加重処理された後予定閾値を持続的に満たして予定時間に達する及び/又は予定回数に達するかどうか、又は複数種の前記無線LANアクセスネットワークの状態のいずれかの一種が予定閾値を持続的に満たして予定時間に達する及び/又は予定回数に達するかどうかを監視する、という方法により前記無線LANアクセスネットワークの状態が予定閾値を持続的に満たして予定時間に達する及び/又は予定回数に達するかどうかを監視する請求項9に記載のユーザ装置。
【請求項１１】
前記監視モジュールは、
前記無線LANアクセスネットワークの状態の予定時間内の複数の時間帯での平均値が加重処理された後予定閾値を満たすかどうかを監視する、又は前記無線LANアクセスネットワークの状態の連続的な予定回数の時間帯での平均値が加重処理された後予定閾値を満たすかどうかを監視する、又は連続的な予定回数の前記無線LANアクセスネットワークの状態が加重処理された後予定閾値を満たすかどうかを監視する、という方法により予定時間内又は予定回数の前記無線LANアクセスネットワークの状態がフィルタリング処理された後予定閾値を満たすかどうかをモニタリングする請求項9に記載のユーザ装置。
【請求項１２】
前記監視モジュールは、
予定時間内又は予定回数の複数種の前記無線LANアクセスネットワークの状態がフィルタリング処理された後それぞれ予定閾値を満たすかどうか、又はフィルタリングされた後更に加重処理された後予定閾値を満たすかどうか、又は複数種の前記無線LANアクセスネットワークの状態のいずれかの一種がフィルタリング処理された後予定閾値を満たすかどうかを監視する、という方法により予定時間内又は予定回数の前記無線LANアクセスネットワークの状態がフィルタリング処理された後予定閾値を満たすことを監視する請求項9に記載のユーザ装置。
【請求項１３】
前記監視モジュールがモニタリングした無線LANアクセスネットワークの状態は、
無線LANアクセスネットワークの信号強度、
無線LANアクセスネットワークの受信信号強度と無線LANアクセスポイントの送信信号強度との比の値、
無線LANアクセスネットワークの信号の信号対干渉雑音比、
無線LANアクセスネットワークのアクセスネットワーク負荷、
無線LANアクセスネットワークが広域ネットワークに接続されたリンクアップリンク負荷、及び
無線LANアクセスネットワークが広域ネットワークに接続されたリンクダウンリンク負荷の一種又は複数種を含む請求項9〜12のいずれか一項に記載のユーザ装置。
【請求項１４】
前記監視モジュールは、
ビーコンフレーム又はパイロットフレームを測定する、又は前記無線LAN基地局へビーコン要求又はリンク測定要求を送信した後返信したビーコンレポート又はリンク測定レポートを得て、前記無線LANアクセスネットワークの信号強度を取得し、
ビーコンフレーム又はプローブ応答フレームと把握された前記無線LANアクセスネットワークの信号強度を監視し、前記無線LANアクセスネットワークの受信信号強度と無線LANアクセスポイントの送信信号強度との比の値を取得し、
ビーコンフレーム又はパイロットフレームを測定する、又は前記無線LAN基地局へリンク測定要求を送信した後返信したリンク測定レポートを得る、又は前記無線LAN基地局へノイズヒストグラム要求を送信した後返信したノイズヒストグラムレポートと把握された前記無線LANアクセスネットワークの信号強度を得て、前記無線LANアクセスネットワークの信号の信号対干渉雑音比を取得し、
ビーコンフレーム又はプローブ応答フレームを監視する、又は前記無線LAN基地局へチャネル負荷要求を送信した後返信したチャネル負荷レポートを得て、前記無線LANアクセスネットワークのアクセスネットワーク負荷を取得し、及び
ビーコンフレーム又はプローブ応答フレームを監視して、前記無線LANアクセスネットワークが広域ネットワークに接続されたリンクアップリンク負荷と前記無線LANアクセスネットワークが広域ネットワークに接続されたリンクダウンリンク負荷を取得する、という方法の一種又は複数種により、無線LANアクセスネットワークの状態をモニタリングする請求項13に記載のユーザ装置。
【請求項１５】
ネットワーク側がブロードキャスト又はページング又は専用シグナリングにより設定する、又はプロトコル規定に従って自分で設定される前記予定閾値、前記予定時間、前記予定回数、前記フィルタリング処理のフィルタリング係数及び加重処理の加重係数を受け取るように設定される設定モジュールを更に含む請求項9〜12のいずれか一項に記載のユーザ装置。
【国際調査報告】
2016518084.tif 000009
2016518084.tif 000010
2016518084.tif 000011
2016518084.tif 000012